(57)【要約】【課題】日常生活を営む男性が軽度の失禁対策用の尿パッドとして用いることができる男性用軽失禁パッドを、廃棄物の発生を少なくして簡便且つ低コストに製造することが可能な男性用軽失禁パッドの製造方法を提供する。【解決手段】本発明の男性用軽失禁パッドの製造方法は、得られる吸収性本体の下端部側に相当する部位を接合して下端接合部５５を形成する際に、長尺のシート材５２の一方の側縁部５２ｘから幅方向の中央部に向けて、得られる吸収性本体５６における一方の側縁部５２ｘと下端接合部５５とによって形成される角度α１が鈍角になるように形成するとともに、下端接合部５５の外側を、吸収性本体５６における一方の側縁部５２ｘから他方の側縁部５２ｙに向けて、吸収性本体５６における一方の側縁部５２ｘと切断部分の軌跡５７とによって形成される角度β１が鈍角になるように切断する。【選択図】図１Ａ
2010273824.tif 000002
【特許請求の範囲】
【請求項１】
複数のシートが吸収体を挟持した状態で積層された吸収性本体を備え、その内面側が吸収性面を構成し、前記吸収性面を着用者の男性器に宛がって使用する男性用軽失禁パッドを製造する製造方法であって、
複数の長尺のシートによって吸収体が所定の間隔を空けて挟持された長尺のシート材を用意し、
前記長尺のシート材の二以上を、前記吸収性面を構成する面同士が向かい合うように重ね合わせ、重ね合わされた一方の側縁部を、前記長尺のシート材の長手方向に沿って接合して、側縁接合部を形成する工程と、
前記長尺のシート材に間隔を空けて配置された前記吸収体間における、得られる前記吸収性本体の下端部側に相当する部位を接合して下端接合部を形成するとともに、前記下端接合部の外側を切断して、所定形状の前記吸収性本体を作製する工程と、を備え、
前記吸収性本体を作製する工程において、前記下端接合部を、前記吸収性本体を構成する前記長尺のシート材の一方の側縁部から幅方向の中央部に向けて、得られる前記吸収性本体の前記一方の側縁部と前記下端接合部とによって形成される角度が鈍角になるように形成するとともに、
前記吸収体間において、得られる前記吸収性本体の前記下端接合部の外側を、前記吸収性本体の前記一方の側縁部から他方の側縁部に向けて、前記吸収性本体の前記一方の側縁部と切断部分の軌跡とによって形成される角度が鈍角になるように切断する男性用軽失禁パッドの製造方法。
【請求項２】
複数のシートが吸収体を挟持した状態で積層された吸収性本体を備え、その内面側が吸収性面を構成し、前記吸収性面を着用者の男性器に宛がって使用する男性用軽失禁パッドを製造する製造方法であって、
複数の長尺のシートによって吸収体が所定の間隔を空けて挟持された長尺のシート材を用意し、
前記長尺のシート材を、前記吸収性面を構成する面が内側となるように、前記長尺のシート材の長手方向に沿って折り畳み、前記長尺のシート材に間隔を空けて配置された前記吸収体間における、得られる前記吸収性本体の下端部側に相当する部位を接合して下端接合部を形成するとともに、前記下端接合部の外側を切断して、所定形状の前記吸収性本体を作製する工程を備え、
前記吸収性本体を作製する工程において、前記下端接合部を、折り畳んだ前記長尺のシート材の折り目が形成された側縁部から幅方向の中央部に向けて、得られる前記吸収性本体における前記折り目が形成された側縁部と前記下端接合部とによって形成される角度が鈍角になるように形成するとともに、
前記吸収体間において、得られる前記吸収性本体の前記下端接合部の外側を、前記吸収性本体の前記折り目が形成された側縁部から他方の側縁部に向けて、前記吸収性本体の前記折り目が形成された側縁部と切断部分の軌跡とによって形成される角度が鈍角になるように切断する男性用軽失禁パッドの製造方法。
【請求項３】
前記吸収性本体の下端部側における前記切断部分が、前記長尺のシート材から連続的に製造される他の吸収性本体の上端部側における切断部分となる請求項１又は２に記載の男性用軽失禁パッドの製造方法。
【請求項４】
前記吸収性本体の下端部側における前記切断部分を、前記下端接合部に沿った輪郭で切断して形成する請求項１〜３のいずれか一項に記載の男性用軽失禁パッドの製造方法。
【発明の詳細な説明】
【技術分野】
【０００１】
本発明は、男性用軽失禁パッドの製造方法に関する。更に詳しくは、日常生活を営む男性が軽度の失禁対策用の尿パッドとして好適に用いることが可能な男性用軽失禁パッドを、廃棄物の発生を少なくして簡便且つ低コストに製造することが可能な製造方法に関する。
【背景技術】
【０００２】
従来、乳幼児用、或いは高齢者・障害者等の成人用の尿パッドとして、トップシートと、バックシートと、両シートの間の一部に介装された吸収体とを備えた尿パッドが知られている。
【０００３】
この尿パッドは、トップシートの表面を着用者の肌に接するように宛がって使用することにより、着用者の排泄した尿はトップシートを透過して、吸収体によって吸収・保持されるとともに、防漏性に優れたバックシートによって、尿が外部に漏洩してしまうことが防止されている。
【０００４】
軽度の失禁トラブルを抱える人々は女性のほうが多いものの、男性では、前立腺肥大をきっかけに、切迫性尿失禁や溢流性尿失禁などになることがある。また、身体機能が低下してトイレに間に合わない機能性尿失禁や、病気などで寝たきりになった場合の尿の処理など尿の吸収製品はさまざまなケースに対応して吸収性物品が使われている。例えば、男性用に特化した尿パッドとして、男性器を被包して用いるタイプが知られている（例えば、特許文献１参照）。このような男性用尿パッドは、例えば、矩形の形状の尿パッドを、粘着テープ等を利用して三角形に成型して男性器を被包した状態で用いるため、使い捨ておむつや、単に衣類やおむつ上に載置して用いる尿パッドと比較して、尿と着用者の肌との接触面積を少なくすることができる。
【０００５】
また、男性用尿パッドとしては、例えば、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成されたもの（例えば、特許文献２参照）や、予め袋状に成型されたもの（例えば、特許文献３参照）も提案されている。
【先行技術文献】
【特許文献】
【０００６】
【特許文献１】特開平８−２８０７２７号公報
【特許文献２】特開２００１−１２９０１２号公報
【特許文献３】特開平９−２９９３９２号公報
【発明の概要】
【発明が解決しようとする課題】
【０００７】
しかしながら、従来の男性用の尿パッドは、男性器に対するフィット性が悪く、良好な装着感を得ることができないという問題があり、フィット性に優れ、良好な装着感を得ることができる男性用軽失禁パッドの開発が要望されている。
【０００８】
また、従来、男性用軽失禁パッドを製造する場合には、例えば、長尺のシート材からなる吸収性本体の連続体を作製し、この長尺シート材から所定形状の吸収性本体を個々に切り出して製造することが行われている。しかしながら、このような従来の製造方法においては、長尺シート材に使用されない無駄な余剰部分ができ、製造時に多くの廃棄物が発生してしまうという問題があった。
【０００９】
本発明は、このような従来技術の課題を解決するためになされたものであって、日常生活を営む男性が軽度の失禁対策用の尿パッドとして好適に用いることができ、特に、排尿後のキレが悪いために、下着に男性器を戻した後、下着を極軽く濡らしてしまうような、極軽度の尿パッドや下着ライナーとして好適に用いることが可能な男性用軽失禁パッドを、廃棄物の発生を少なくして簡便且つ低コストに製造することが可能な男性用軽失禁パッドの製造方法を提供するものである。
【課題を解決するための手段】
【００１０】
本発明者は、前記のような従来技術の課題を解決するために鋭意検討した結果、長尺のシート材から、男性用軽失禁パッドを構成する吸収性本体を連続的に作製する工程において、吸収性本体の下端部側に相当する部位を接合する接合部を形成する際、及びその接合部の外側を切断して個々の吸収性本体を切り離す際に、吸収性本体を構成する長尺のシート材の一方の側縁部と、上記接合部及び上記切断の軌跡とのなすそれぞれの角度が、それぞれ鈍角になるようにすることによって、上記課題が解決されることに想到し、本発明を完成させた。具体的には、本発明により、以下の男性用軽失禁パッドの製造方法が提供される。
【００１１】
［１］  複数のシートが吸収体を挟持した状態で積層された吸収性本体を備え、その内面側が吸収性面を構成し、前記吸収性面を着用者の男性器に宛がって使用する男性用軽失禁パッドを製造する製造方法であって、複数の長尺のシートによって吸収体が所定の間隔を空けて挟持された長尺のシート材を用意し、前記長尺のシート材の二以上を、前記吸収性面を構成する面同士が向かい合うように重ね合わせ、重ね合わされた一方の側縁部を、前記長尺のシート材の長手方向に沿って接合して、側縁接合部を形成する工程と、前記長尺のシート材に間隔を空けて配置された前記吸収体間における、得られる前記吸収性本体の下端部側に相当する部位を接合して下端接合部を形成するとともに、前記下端接合部の外側を切断して、所定形状の前記吸収性本体を作製する工程と、を備え、前記吸収性本体を作製する工程において、前記下端接合部を、前記吸収性本体を構成する前記長尺のシート材の一方の側縁部から幅方向の中央部に向けて、得られる前記吸収性本体の前記一方の側縁部と前記下端接合部とによって形成される角度が鈍角になるように形成するとともに、前記吸収体間において、得られる前記吸収性本体の前記下端接合部の外側を、前記吸収性本体の前記一方の側縁部から他方の側縁部に向けて、前記吸収性本体の前記一方の側縁部と切断部分の軌跡とによって形成される角度が鈍角になるように切断する男性用軽失禁パッドの製造方法（以下、「第一の製造方法」ということがある）。
【００１２】
［２］  複数のシートが吸収体を挟持した状態で積層された吸収性本体を備え、その内面側が吸収性面を構成し、前記吸収性面を着用者の男性器に宛がって使用する男性用軽失禁パッドを製造する製造方法であって、複数の長尺のシートによって吸収体が所定の間隔を空けて挟持された長尺のシート材を用意し、前記長尺のシート材を、前記吸収性面を構成する面が内側となるように、前記長尺のシート材の長手方向に沿って折り畳み、前記長尺のシート材に間隔を空けて配置された前記吸収体間における、得られる前記吸収性本体の下端部側に相当する部位を接合して下端接合部を形成するとともに、前記下端接合部の外側を切断して、所定形状の前記吸収性本体を作製する工程を備え、前記吸収性本体を作製する工程において、前記下端接合部を、折り畳んだ前記長尺のシート材の折り目が形成された側縁部から幅方向の中央部に向けて、得られる前記吸収性本体における前記折り目が形成された側縁部と前記下端接合部とによって形成される角度が鈍角になるように形成するとともに、前記吸収体間において、得られる前記吸収性本体の前記下端接合部の外側を、前記吸収性本体の前記折り目が形成された側縁部から他方の側縁部に向けて、前記吸収性本体の前記折り目が形成された側縁部と切断部分の軌跡とによって形成される角度が鈍角になるように切断する男性用軽失禁パッドの製造方法（以下、「第二の製造方法」ということがある）。
【００１３】
［３］  前記吸収性本体の下端部側における前記切断部分が、前記長尺のシート材から連続的に製造される他の吸収性本体の上端部側における切断部分となる前記［１］又は［２］に記載の男性用軽失禁パッドの製造方法。
【００１４】
［４］  前記吸収性本体の下端部側における前記切断部分を、前記下端接合部に沿った輪郭で切断して形成する前記［１］〜［３］のいずれかに記載の男性用軽失禁パッドの製造方法。
【発明の効果】
【００１５】
本発明の男性用軽失禁パッドの製造方法によれば、日常生活を営む男性が軽度の失禁対策用の尿パッドとして好適に用いることができ、特に、排尿後のキレが悪いために、下着に男性器を戻した後、下着を極軽く濡らしてしまうような、極軽度の尿パッドや下着ライナーとして好適に用いることが可能な男性用軽失禁パッドを、廃棄物の発生を少なくして簡便且つ低コストに製造することができる。
【図面の簡単な説明】
【００１６】
【図１Ａ】本発明の男性用軽失禁パッドの製造方法（第一の製造方法）の一の実施形態を模式的に示す工程図である。
【図１Ｂ】図１Ａにおける吸収性本体を作製する工程の一部を拡大した工程図である。
【図２Ａ】本発明の男性用軽失禁パッドの製造方法（第一の製造方法）の一の実施形態によって製造された男性用軽失禁パッドを模式的に示す平面図であり、男性用軽失禁パッドの使用前の折り畳まれた状態を示す。
【図２Ｂ】図２Ａに示す男性用軽失禁パッドを構成する吸収性本体の折り畳まれた部位を展開した状態を示す斜視図である。
【図３Ａ】本発明の男性用軽失禁パッドの製造方法（第一の製造方法）の他の実施形態によって製造された男性用軽失禁パッドを模式的に示す平面図であり、男性用軽失禁パッドの使用前の折り畳まれた状態を示す。
【図３Ｂ】図３Ａに示す男性用軽失禁パッドを構成する吸収性本体の折り畳まれた部位を展開した状態を示す斜視図である。
【図４】本発明の男性用軽失禁パッドの製造方法（第二の製造方法）の一の実施形態を模式的に示す工程図である。
【図５Ａ】本発明の男性用軽失禁パッドの製造方法（第二の製造方法）の一の実施形態によって製造された男性用軽失禁パッドを模式的に示す平面図であり、男性用軽失禁パッドの使用前の折り畳まれた状態を示す。
【図５Ｂ】図５Ａに示す男性用軽失禁パッドを構成する吸収性本体の折り畳まれた部位を展開した状態を示す斜視図である。
【発明を実施するための形態】
【００１７】
以下、本発明の男性用軽失禁パッドの製造方法を実施するための形態について、図面を参照しながら具体的に説明する。但し、本発明はその発明特定事項を備える男性用軽失禁パッドの製造方法を広く包含するものであり、以下の実施形態に限定されるものではない。
【００１８】
〔１〕男性用軽失禁パッドの製造方法（第一の製造方法）：
本発明の男性用軽失禁パッドの第一の製造方法は、図２Ａ及び図２Ｂに示すような、複数のシート１８，２０が吸収体２２を挟持した状態で積層された吸収性本体１４を備え、その内面３２側が吸収性面３２ａを構成し、この吸収性面３２ａを着用者の男性器に宛がって使用する男性用軽失禁パッド１ａを製造する製造方法である。ここで、図２Ａは、本発明の男性用軽失禁パッドの製造方法（第一の製造方法）の一の実施形態によって製造された男性用軽失禁パッドを模式的に示す平面図であり、男性用軽失禁パッドの使用前の折り畳まれた状態を示す。また、図２Ｂは、図２Ａに示す男性用軽失禁パッドを構成する吸収性本体の折り畳まれた部位を展開した状態を示す斜視図である。
【００１９】
このような本発明の男性用軽失禁パッドの製造方法の一の実施形態によって製造される男性用軽失禁パッド１ａは、日常生活を営む男性が、軽度の失禁対策用の軽失禁パッドとして好適に用いることができる。特に、このような男性用軽失禁パッドは、図２Ｂに示すように、吸収性本体１４の一方の端部１４Ｘから他方の端部１４Ｙに向かう方向（例えば、縦方向）の少なくとも一部において、内面３２側に向けて谷折り状に折り曲げられた谷折り部３６が形成されてなるとともに、上記谷折り部３６の少なくとも一方の端部３６Ｘにて谷折り部３６の谷折り状態を維持する下端接合部３８を有しており、吸収性本体１４の展開使用時には、谷折り部３６と下端接合部３８とによって凹状の空間３３が形成されるように構成されているため、軽失禁パッドが男性器のふくらみに合わせた形状となり、良好な装着感を得ることができる。
【００２０】
即ち、上記した谷折り部と、その谷折り部の谷折り状態を維持する下端接合部とを有することによって、吸収性本体にタック（即ち、襞状の折り目）が形成されるため、吸収性本体の展開使用時には、吸収性本体の内面側に凹状の空間が形成される。なお、上記した「展開使用」とは、谷折り部によって折り曲げられた吸収性本体を広げて（展開させて）、谷折り部の折り曲げ状態の一部を開放し、吸収性本体の内面側を着用者に宛がって使用することが可能な状態にすることをいう。即ち、谷折り状態が維持されない部分は、展開時に谷折り状態が解除されながら広がるが、谷折り状態が維持された下端接合部付近は、展開時に谷折り状態が解除されないので、展開できない。このため、その展開面積に差異が生じ、吸収性本体（即ち、男性用軽失禁パッド）の内面側に凹状の空間が形成される。
【００２１】
吸収性本体（即ち、男性用軽失禁パッド）がこのような形状になると、男性器に宛がった際に収まりが非常に良好になる。特に、上記下端接合部側が、着用者の睾丸側に位置するようにして軽失禁パッドを宛がうことによって、睾丸側から着用者の前方（前半身）に掛けて軽失禁パッドが広がるように男性器を覆うことができるため、着用時における違和感を大幅に軽減することができる。
【００２２】
更に、吸収性本体における一方の側縁部と下端接合部とによって形成される角度が鈍角になるように形成されるとともに、吸収性本体の下端接合部の外側が、吸収性本体における一方の側縁部から他方の側縁部に向けて、一方の側縁部と切断部分の軌跡とによって形成される角度が鈍角になるように切断されており、吸収性本体の下端部の角が斜めに接合されているので、吸収性本体を着用者に宛がった際に、下端部の角付近の展開が容易にでき、更に下端部の角が突出しないために邪魔にならず、良好な着用感を得ることができる。仮に下端接合部が側縁接合部に対して９０°であった場合、吸収性本体の下端部の角に展開できない部分が、斜めに残り、着用者の良好な装着感を妨げる。
【００２３】
本発明の男性用軽失禁パッドの製造方法は、図１Ａに示すように、複数の長尺のシート５１（例えば、外面シート５１ａ、内面シート５１ｂ）によって吸収体５０が所定の間隔を空けて挟持された長尺のシート材５２を用意し、長尺のシート材５２ａ，５２ｂの二以上を、吸収性面５３を構成する面同士が向かい合うように重ね合わせ、重ね合わされた一方の側縁部を、長尺のシート材５２ａ，５２ｂの長手方向に沿って接合して、側縁接合部５４を形成する工程と、長尺のシート材５２ａ，５２ｂに間隔を空けて配置された吸収体５０間における、得られる吸収性本体の下端部側に相当する部位を接合して下端接合部５５を形成するとともに、この下端接合部５５の外側を切断して、所定形状の吸収性本体５６を作製する工程と、を備え、吸収性本体５６を作製する工程において、下端接合部５５を、吸収性本体５６を構成する接合した長尺のシート材５２の一方の側縁部５２ｘから幅方向の中央部に向けて、得られる吸収性本体５６における一方の側縁部５２ｘと下端接合部５５とによって形成される角度α１が鈍角になるように形成するとともに、吸収体５０間において、得られる吸収性本体５６の下端接合部５５の外側を、吸収性本体５６における一方の側縁部５２ｘから他方の側縁部５２ｙに向けて、吸収性本体５６における一方の側縁部５２ｘと切断部分の軌跡５７とによって形成される角度β１が鈍角になるように切断するものである。なお、上記した外面シートとは、吸収性本体の外面側を構成するシートのことであり、また、上記した内面シートとは、吸収性本体の内面側を構成するシートのことである。
【００２４】
本発明の男性用軽失禁パッドの製造方法によれば、図２Ａ及び図２Ｂに示すような、日常生活を営む男性が軽度の失禁対策用の尿パッドとして好適に用いることができ、特に、排尿後のキレが悪いために、下着に男性器を戻した後、下着を極軽く濡らしてしまうような、極軽度の尿パッドや下着ライナーとして好適に用いることが可能な男性用軽失禁パッド１ａを、廃棄物の発生を少なくして簡便且つ低コストに製造することができる。
【００２５】
従来、図２Ａ及び図２Ｂに示すような、吸収性本体１４の一方の側縁部に下端接合部３８が形成され、この下端接合部３８の外側が、吸収性本体１４の一方の側縁部と切断部分の軌跡とによって形成される角度が鈍角になるように切断された男性用軽失禁パッド１ａを製造する場合においては、例えば、長尺のシート材からなる吸収性本体の連続体を作製し、この長尺シート材から、所定の間隔で吸収性本体を個々に切り出して製造することが行われている。このような製造方法では、切り出した各吸収性本体間に長尺シート材の使用されない無駄な余剰部分ができ、製造時に多くの廃棄物が発生してしまうという問題がある。また、例えば、長尺シート材から矩形の吸収性本体を一旦切り出した後、その吸収性本体の端部を斜め（即ち、鈍角）に切断（トリム）を行って製造することもあるが、このような場合にも多くの廃棄物が発生してしまう。更に、このような製造方法は、製造工程が煩雑になり、男性用軽失禁パッドの製造コストがより増大してしまう。
【００２６】
本発明の男性用軽失禁パッドの製造方法においては、最終製品形状の男性用軽失禁パッドの外周形状に対応するように、吸収性本体を作製する工程において、下端接合部を、吸収性本体を構成する長尺のシート材の一方の側縁部から幅方向の中央部に向けて、得られる吸収性本体の一方の側縁部と下端接合部とによって形成される角度が鈍角になるように形成するとともに、吸収体間において、得られる吸収性本体の下端接合部の外側を、吸収性本体の一方の側縁部から他方の側縁部に向けて、吸収性本体の一方の側縁部と切断部分の軌跡とによって形成される角度が鈍角になるように切断することによって、長尺のシート材からの廃棄物の発生を少なくすることができる。
【００２７】
なお、上述した下端接合部は、連続していてもよいし、複数の接合点によって不連続であっても、連続的に接合されていてもよい。また、側縁接合部と離れた位置に部分的に接合部を設けることによって下端接合部が形成されていてもよい。
【００２８】
なお、上記下端接合部の固定方法としては、ヒートシール、エンボスや噛み合い歯車による接合（圧縮）、超音波シール、ニードル（針）による加工、ホットメルト接着剤による接着等を挙げることができる。また、上記側縁接合部の固定方法についても、下端接合部と同様に、ヒートシール、エンボスや噛み合い歯車による接合（圧縮）、超音波シール、ニードル（針）による加工、ホットメルト接着剤による接着等を挙げることができる。
【００２９】
図１Ａに示すように、下端接合部５５は、得られる吸収性本体の下端部側に相当する部位を所定の幅で接合して形成されるため、吸収性本体における一方の側縁部５２ｘと下端接合部５５とによって形成される角度α１とは、図１Ｂに示すように、側縁接合部５４の内側に沿った側縁接合部の内側輪郭線７１と、下端接合部５５の内側に沿った下端接合部の内側輪郭線７２が交差してできる内角によって規定される角度（角度α１）をいう。なお、側縁接合部の内側輪郭線とは、吸収性本体の内側における側縁接合部の境界線（輪郭線）となる直線のことをいい、下端接合部の内側輪郭線とは、吸収性本体の内側における下端接合部の境界線（輪郭線）となる直線のことをいう。なお、例えば、下端接合部が複数の接合点（不連続な接合点）によって形成される場合には、各接合点の最も内側に位置する点を結んだものを内側輪郭線とする。また、少なくとも一方の内側輪郭線（境界線）が曲線である場合には、交点における曲線の接線を内側輪郭線とし、この内側輪郭線（接線）とのなす角を、上記した角度α１とする。ここで、図１Ｂは、図１Ａにおける吸収性本体を作製する工程の一部を拡大した工程図である。図１Ｂにおいては、図１Ａに示す各要素と同様に構成されているものについては、同一の符号を付して説明を省略する。
【００３０】
なお、本発明の男性用軽失禁パッドの製造方法においては、図１Ａに示すように、一の吸収性本体５６ａの下端部側における切断部分が、長尺のシート材５２から連続的に製造される他の吸収性本体５６ｂの上端部側における切断部分となるようにすることが好ましい。このように構成することによって、吸収性本体５６の下端部側及び上端部側の切断部分にて、一切廃棄物を発生させることなく、装着感に極めて優れた男性用軽失禁パッドを簡便に製造することができる。
【００３１】
また、本発明の男性用軽失禁パッドの製造方法においては、吸収性本体５６の下端部側における切断部分を、下端接合部５５に沿った輪郭で切断して形成することが好ましい。このように構成することによって、吸収性本体を構成する長尺のシート材の切断代における無駄な部分が極めて少なくなり、男性用軽失禁パッドの製造コストをより低減することができる。
【００３２】
以下、本発明の男性用軽失禁パッドの製造方法を更に詳細に説明する。まず、図１Ａに示すように、複数の長尺のシート５１（例えば、外面シート５１ａ、内面シート５１ｂ）によって吸収体５０が所定の間隔を空けて挟持された長尺のシート材５２を作製する。吸収体５０は、図示しないマットフォーマーによってそれぞれ必要な大きさに形成される。なお、図１Ａにおいて、吸収体５０は、側縁接合部５４側の下端部の角が切り欠いてあるが、これは後に形成する下端接合部５５を形成する際に吸収体５０の角が邪魔にならないようにするためのものである。
【００３３】
図１Ａに示すように、吸収体５０は、外面シート５１ｂ上に外面シート５１ｂの流れ方向Ｘに沿って間隔を置いて配置される。その後、内面シート５１ａをその上面に貼り付けて、吸収体５０の周囲において、内面シート５１ａと外面シート５１ｂを直接貼り合せて、各吸収体５０をそれぞれ封して長尺シート材５２を作製する。
【００３４】
本発明の製造方法においては、このようにして、二枚の長尺シート材５２ａ，５２ｂを作製し、この二枚の長尺シート材５２ａ，５２ｂを重ね合わせ、その一方の側縁を接合して男性用軽失禁パッド１ａを製造する。即ち、二枚の長尺シート材５２ａ，５２ｂを、男性用軽失禁パッドの使用前の状態（例えば、図２Ａ参照）となるように吸収性面５３を構成する面同士が向かい合うように重ね合わせ、長尺のシート材５２ａ，５２ｂの長手方向に沿って一方の側縁部を接合して、側縁接合部５４を形成する。側縁接合部５４は、例えば、エンボスロール等によって形成することができる。
【００３５】
次に、長尺のシート材５２ａ，５２ｂに間隔を空けて配置された吸収体５０間における、得られる吸収性本体の下端部側に相当する部位を接合して下端接合部５５を形成する。この際、下端接合部５５を、吸収性本体５６を構成する接合した長尺のシート材５２の一方の側縁部５２ｘから幅方向の中央部に向けて、得られる吸収性本体５６における一方の側縁部５２ｘと下端接合部５５とによって形成される角度α１が鈍角になるように形成する。この下端接合部５５は、例えば、エンボスロール等によって形成することができる。
【００３６】
次に、形成した下端接合部５５の外側を切断して、長尺のシート材５２から所定形状の吸収性本体５６を作製する。この際、吸収体５０間において、得られる吸収性本体５６の下端接合部５５の外側を、吸収性本体５６における一方の側縁部５２ｘから他方の側縁部５２ｙに向けて、吸収性本体５６における一方の側縁部５２ｘと切断部分の軌跡５７とによって形成される角度β１が鈍角になるように切断する。このようにして、図２Ａに示すような男性用軽失禁パッド１ａを製造することができる。
【００３７】
なお、本発明の製造方法においては、吸収性本体の一方の側縁部と下端接合部とによって形成される角度α１（図１Ａ参照）が鈍角になるように形成し、且つ、吸収性本体における一方の側縁部と切断部分の軌跡とによって形成される角度β１（図１Ａ参照）が鈍角になるように切断するものであれば、具体的な角度については制限はないが、例えば、上記角度α１及び角度β１は、１００°以上であることが好ましく、１２０°以上であることが更に好ましい。また、鈍角における最大角度としては、１７０°以下であることが好ましく、１５０°以下であることが更に好ましい。このように構成することによって、吸収性本体を着用者に宛がった際に、下端部の角付近の展開が容易にでき、極めて良好な着用感を得ることができる。例えば、角度α１及び角度β１が１００°未満の場合には、吸収性本体の下端部の角に展開できない部分が若干残ることがあり、一方、角度α１及び角度β１が１７０°を超えると軽失禁パッドの内側に形成される空間の深さが浅くなってしまうことがある。また隣り合う軽失禁パッドの上端に余計な尖りができてしまい見栄えが悪くなってしまうことがある。
【００３８】
なお、図１Ａにおいては、吸収性本体５６における一方の側縁部５２ｘから、実際に下端接合部５５が形成されている長尺のシート材５２の幅方向の中央部までは、上記したように角度β１が鈍角になるように切断し、それ以降の、上記中央部から他方の側縁部５２ｙまでは、切断部分の軌跡５７によって形成される角度が約９０度（即ち、他方の側縁部５２ｙに垂直）となるように切断した場合を示している。このように、本発明の製造方法においては、実際に下端接合部５５が形成されている範囲において、上記角度β１が鈍角になるように切断していれば、それ以降の長尺のシート材５２の切断の軌跡については特に制限はなく、男性用軽失禁パッドの股下側における着用感を考慮して適宜選択することができる。即ち、下端接合部５５が形成されている範囲以降については、図１Ａに示すように他方の側縁部５２ｙに垂直に切断してもよいし、下端接合部５５が形成されている範囲から真っ直ぐ斜めに、角度β１が鈍角になるように切断してもよい。
【００３９】
なお、図１Ａにおいては、二枚の長尺シート材５２ａ，５２ｂを作製し、この二枚の長尺シート材５２ａ，５２ｂを重ね合わせ、その一方の側縁を接合して男性用軽失禁パッド１ａを製造する場合の例を示しているが、例えば、図示は省略するが、男性用軽失禁パッドの幅方向の中央部分に配置される長尺シート材と、この長尺シート材の両側（左右）に配置される二つの長尺シート材との、例えば、三枚の長尺シート材を作製し、この中央部分に配置される長尺シート材に、右側に配置される長尺シート材と、左側に配置される長尺シート材とを順次配置し、図１Ａと同様に、各長尺シート材が重ね合わされた一方の側縁部を接合して、側縁接合部を形成するとともに、吸収体間における、得られる吸収性本体の下端部側に相当する部位を接合して下端接合部を形成し、その後、下端接合部の外側を切断して、三枚の長尺のシート材から所定形状の吸収性本体を作製することもできる。このような製造方法によれば、例えば、図３Ａ及び図３Ｂに示すような男性用軽失禁パッド１ｂを製造することができる。
【００４０】
ここで、図３Ａは、本発明の男性用軽失禁パッドの製造方法（第一の製造方法）の他の実施形態によって製造された男性用軽失禁パッドを模式的に示す平面図であり、男性用軽失禁パッドの使用前の折り畳まれた状態を示す。また、図３Ｂは、図３Ａに示す男性用軽失禁パッドを構成する吸収性本体の折り畳まれた部位を展開した状態を示す斜視図である。なお、図３Ａ及び図３Ｂにおいては、図２Ａ及び図２Ｂに示す男性用軽失禁パッド１ａの各要素と同様に構成されているものについては、同一の符号を付して説明を省略する。
【００４１】
〔２〕男性用軽失禁パッドの製造方法（第二の製造方法）：
次に、本発明の男性用軽失禁パッドの製造方法（第二の製造方法）の一の実施形態について説明する。ここで、図４は、本発明の男性用軽失禁パッドの製造方法（第二の製造方法）の一の実施形態を模式的に示す工程図である。なお、これまでに説明した第一の製造方法においては、吸収性本体を構成する長尺のシート材として、二以上の長尺のシート材を重ね合わせ、その側縁部を接合することによって側縁接合部を形成して長尺のシート材を一体化する工程を備えたものであるが、この側縁接合部を形成して二以上の長尺のシート材を一体化する代わりに、第二の製造方法においては、一枚の長尺のシート材を、その吸収性面を構成する面が内側となるように長手方向に沿って折り畳む工程を備えている。
【００４２】
このような本発明の男性用軽失禁パッドの第二の製造方法によれば、図５Ａ及び図５Ｂに示すような、複数のシート１８，２０が吸収体２２を挟持した状態で積層された吸収性本体１４を備え、その内面３２側が吸収性面３２ａを構成し、この吸収性面３２ａを着用者の男性器に宛がって使用する男性用軽失禁パッド１ｃを製造することができる。ここで、図５Ａは、本発明の男性用軽失禁パッドの製造方法（第二の製造方法）の一の実施形態によって製造された男性用軽失禁パッドを模式的に示す平面図であり、男性用軽失禁パッドの使用前の折り畳まれた状態を示す。また、図５Ｂは、図５Ａに示す男性用軽失禁パッドを構成する吸収性本体の折り畳まれた部位を展開した状態を示す斜視図である。なお、図５Ａ及び図５Ｂにおいては、図２Ａ及び図２Ｂに示す男性用軽失禁パッド１ａの各要素と同様に構成されているものについては、同一の符号を付して説明を省略する。
【００４３】
本発明の男性用軽失禁パッドの製造方法は、図４に示すように、複数の長尺のシート６１（例えば、外面シート６１ａ、内面シート６１ｂ）によって吸収体６０が所定の間隔を空けて挟持された長尺のシート材６２を用意し、長尺のシート材６２を、吸収性面６３を構成する面が内側となるように、長尺のシート材６２の長手方向に沿って折り畳み、長尺のシート材６２に間隔を空けて配置された吸収体６０間における、得られる吸収性本体の下端部側に相当する部位を接合して下端接合部６５を形成するとともに、下端接合部６５の外側を切断して、所定形状の吸収性本体６６を作製する工程を備え、吸収性本体６６を作製する工程において、下端接合部６５を、折り畳んだ長尺のシート材６２の折り目６４が形成された側縁部６２ｘから幅方向の中央部に向けて、得られる吸収性本体６６における折り目６４が形成された側縁部６２ｘと下端接合部６５とによって形成される角度α２が鈍角になるように形成するとともに、吸収体６０間において、得られる吸収性本体６６の下端接合部６５の外側を、吸収性本体６５の折り目６４が形成された側縁部６２ｘから他方の側縁部（折り目が形成された側縁部とは反対側の側縁）６２ｙに向けて、吸収性本体６５の折り目６４が形成された側縁部６２ｘと切断部分の軌跡６７とによって形成される角度β２が鈍角になるように切断するものである。
【００４４】
本発明の男性用軽失禁パッドの製造方法によれば、図５Ａ及び図５Ｂに示すような、日常生活を営む男性が軽度の失禁対策用の尿パッドとして好適に用いることができ、特に、排尿後のキレが悪いために、下着に男性器を戻した後、下着を極軽く濡らしてしまうような、極軽度の尿パッドや下着ライナーとして好適に用いることが可能な男性用軽失禁パッド１ｃを、廃棄物の発生を少なくして簡便且つ低コストに製造することができる。
【００４５】
上記したように、本発明の男性用軽失禁パッドの第二の製造方法は、長尺のシート材６２を、吸収性面６３を構成する面が内側となるように、長尺のシート材６２の長手方向に沿って折り畳む工程以外は、これまでに説明した本発明の男性用軽失禁パッドの第一の製造方法と同様の工程によって男性用軽失禁パッドを製造することができる。
【００４６】
なお、本発明の男性用軽失禁パッドの製造方法においては、図４に示すように、一の吸収性本体６６ａの下端部側における切断部分が、長尺のシート材６２から連続的に製造される他の吸収性本体６６ｂの上端部側における切断部分となるようにすることが好ましい。このように構成することによって、吸収性本体６６の下端部側及び上端部側の切断部分にて、一切廃棄物を発生させることなく、装着感に極めて優れた男性用軽失禁パッドを製造することができる。
【００４７】
また、本発明の男性用軽失禁パッドの製造方法においては、吸収性本体６６の下端部側における切断部分を、下端接合部６５に沿った輪郭で切断して形成することが好ましい。このように構成することによって、吸収性本体を構成する長尺のシート材の切断代における無駄な部分が極めて少なくなり、男性用軽失禁パッドの製造コストをより低減することができる。
【００４８】
〔３〕男性用軽失禁パッド：
次に、これまでに説明した本発明の第一の製造方法及び第二の製造方法によって製造される男性用軽失禁パッドについて、図２Ａ及び図２Ｂに示す男性用軽失禁パッド１ａを例に更に詳細に説明する。図２Ａ及び図２Ｂに示す男性用軽失禁パッド１ａは、複数のシート１８，２０が吸収体２２を挟持した状態で積層された吸収性本体１４を備え、その内面３２側を着用者の男性器に宛がって使用する男性用軽失禁パッド１ａであって、吸収性本体１４は、一方の端部１４Ｘから他方の端部１４Ｙに向かう方向（例えば、縦方向）の少なくとも一部において、内面３２側に向けて谷折り状に折り曲げられた谷折り部３６が形成されてなるとともに、この谷折り部３６の折り目に沿って、谷折り部分が所定の幅で接合された側縁接合部３７と、上記谷折り部３６の少なくとも一方の端部３６Ｘにて谷折り部３６の谷折り状態を維持する下端接合部３８と、を有し、吸収性本体１４の展開使用時には、上記内面３２側に凹状の空間３３が形成されるように構成されている。
【００４９】
〔３−１〕吸収性本体：
図２Ａ及び図２Ｂに示す男性用軽失禁パッド１ａは、着用者の排泄した尿を吸収し保持する機能を担う部材として、吸収性本体１４を備えている。この吸収性本体１４は、複数のシートが吸収体を挟持した状態で積層されたものであり、図２Ａ及び図２Ｂに示すように、吸収体２２と、吸収体２２の内面を被覆するように配置された内面シート１８と、吸収体２２の外面を被覆するように配置された外面シート２０とを構成要素として有し、吸収体２２が内面シート１８と外面シート２０との間に挟持された状態で固定され、パッド状に一体化された部材を挙げることができる。
【００５０】
なお、上記した「吸収体の内面」とは、男性用軽失禁パッドを着用した際に、着用者の肌側に位置する面をいい、一方、上記した「吸収体の外面」とは、男性用軽失禁パッドを着用した際に、着用者の着衣側に位置する面をいう。
【００５１】
なお、男性用軽失禁パッドに用いられる吸収性本体は、一枚のシート状の吸収性本体を、谷折り部によって折り曲げて（折り畳んで）構成されたものであってもよいし（第二の製造方法）、複数の吸収性本体を、谷折り部を境に接合することによって一体化して形成されたものであってもよい（第一の製造方法）。
【００５２】
〔３−１ａ〕内面シート：
内面シートは、着用者の肌側に位置する面に配置されるシートである。このため、内面シートは、その少なくとも一部が液透過性シートによって構成されていることが好ましい。このように構成することによって、尿が液透過性シートを透過して速やかに吸収体に到達し、吸収保持することが可能となる。なお、少なくとも一部が液透過性シートにより構成されている限り、必ずしも内面シート全体が液透過性シートによって構成されている必要はない。液透過性シートは、液透過性を有するシートであれば、シートの材質については特に制限はないが、例えば、織布、不織布、多孔性フィルム等を挙げることができる。
【００５３】
なお、内面シートの更に好適な例としては、液透過性の不織布を挙げることができる。このような液透過性の不織布を用いることによって、肌触りが良好で、吸液後の表面のさらっと感を向上させることができる。
【００５４】
〔３−１ｂ〕外面シート：
外面シートは、着用者の着衣側に位置する面に配置されるシートである。外面シートは吸収体に吸収された尿を、吸収性本体の外部に漏らさないように、尿を透過しない液不透過性シートや、尿を透過しにくいが、加圧を掛けることによって透過可能な液低透過性シートによって構成されていることが好ましい。
【００５５】
上記した液不透過性シートとしては、一般的な吸収性製品に使用されている、ポリエチレンフィルムを好適例として挙げることができる。このようなポリエチレンフィルムには、透湿性ポリエチレンフィルムと非透湿性ポリエチレンフィルムとがあり、いずれのフィルムも外面シートとして用いることができるが、透湿性ポリエチレンフィルムをより好適に用いることができる。このような透湿性ポリエチレンフィルムを外面シートとして使用することにより、着用中にムレが少なくなり、軽失禁パッドを着用した際の快適性を向上させることができる。
【００５６】
また、上記した液低透過性シートとしては、耐水圧の高い不織布を好適例として挙げることができる。耐水圧の高い不織布としては、例えば、ＳＭＳ（スパンボンド／メルトブロー／スパンボンド）、ＳＭＭＳ（スパンボンド／メルトブロー／メルトブロー／スパンボンド）等の不織布が好ましい。
【００５７】
これらの不織布は、疎水性合成繊維を集積して、ボンディングしたものであるため、尿をはじくことはあるが、加圧を加えると尿が通過してしまうことがある。但し、男性用軽失禁パッドを、日常生活を営む男性が、軽度の失禁対策用の軽失禁パッドとして利用する場合には、失禁時における尿の量が少ないため、このような液低透過性シートであっても、外面シートとして十分使用することが可能である。これにより、上述したポリエチレンフィルムを用いた場合よりも更に通気性を向上させることができ、軽失禁パッドを着用した際の快適性を更に向上させることができる。
【００５８】
なお、耐水圧とは、シートを構成する生地にしみこもうとする水分に掛かる力を抑える性能（防水性）を数値で表したものであり、例えば、ＪＩＳ  Ｌ  １０９２  耐水度試験Ａ法に準拠した方法によって測定することができる。本発明の男性用軽失禁パッドにおいては、上記耐水圧の高い不織布として、耐水圧が４０ｍｍＡｑ．以上の不織布を挙げることができ、耐水圧が１００ｍｍＡｑ．以上の不織布を好適に用いることができる。
【００５９】
更に、外面シートとして、上記ポリエチレンフィルムと上記耐水圧の高い不織布とを積層したシートを用いてもよい。このように構成することによって、男性用軽失禁パッドの交換時や着用中、外面シートと着用者の下着とが擦れたり、外面シートを触ったりするときに音が生じ難く、着用者が周囲の目や耳を気にすることなく、安心して着用することができる。
【００６０】
〔３−１ｃ〕吸収体：
吸収体は、一般的な吸収性製品に使用されている吸収体を用いることができる。例えば、吸収体を構成する吸収材としては、木材パルプを綿状に粉砕したフラッフパルプと高吸水性樹脂（以下、「ＳＡＰ」ということがある）を好適例として挙げることができる。
【００６１】
なお、必要に応じて、上記吸収材をラップするために、吸水紙や親水化処理した不織布を更に有していてもよい。即ち、上記吸水紙や親水化処理した不織布によってフラッフパルプとＳＡＰとを含む吸収材を包んでなる吸収体であってもよい。
【００６２】
また、男性用軽失禁パッドにおいては、軽失禁用途として、極めて微量の吸水量に対応するためのものであれば、吸収体は多くの吸収量を必要としないため、また、失禁パッドの薄型へのニーズに応えるために、吸収体と、この吸収体を挟持する一方のシートとを一体的に構成してもよい。例えば、上記したＳＭＳ不織布やＳＭＭＳ不織布にＳＡＰを直接固定し、更にこの表面に上記吸水紙やラップ用不織布を被せることによって、吸収体と裏面シートとを一体化し、両者の機能を有する一枚の吸水シートとして使用してもよい。また、親水性不織布にＳＡＰだけを挟持したＳＡＰシートを用いることもできる。
【００６３】
〔３−２〕谷折り部、及び谷折り状態を維持する下端接合部：
図２Ａ及び図２Ｂに示す男性用軽失禁パッド１ａを構成する吸収性本体１４は、吸収性本体１４の内面３２側に向けて谷折り状に折り曲げられた谷折り部３６が形成されている。そして、この谷折り部３６の少なくとも一方の端部に、谷折り部３６の谷折り状態を維持する下端接合部３８を有しており、吸収性本体１４の展開使用時には、吸収性本体１４の内面３２側に凹状の空間３３が形成されるように構成されている。
【００６４】
上記谷折り部は、吸収性本体を着用者に宛がった場合に、着用者の上下方向に沿って折れ目が配置されるように形成されている。なお、本明細書においては、吸収性本体を着用者に宛がった場合に、着用者の上下方向となる方向を、吸収性本体の縦方向ということがある。
【００６５】
本発明の男性用軽失禁パッドの製造方法によって製造される男性用軽失禁パッドは、谷折り部は一つ（一本）と限定されず、複数あってもよい。即ち、男性用軽失禁パッドの幅方向中央を挟んで両側に一本ずつ、二箇所で谷折り部が形成されていてもよいし、また、男性用軽失禁パッドの幅方向に、三箇所で三本の谷折り部を形成してもよい。勿論、谷折り部が一本であってもよい。このような男性用軽失禁パッドにおいては、谷折り状態を維持する下端接合部が、それぞれの谷折り部の少なくとも一方の端部に形成されることとなる。
【００６６】
なお、吸収性本体に複数の谷折り部が形成されることによって、吸収性本体の形状（表面形状）が多面形状になるために、男性用軽失禁パッドのフィット感をより向上させることが可能となる。
【００６７】
谷折り部の谷折り状態を維持するための下端接合部は、例えば、吸収性本体の内側面同士を固定して、谷折り状態の一部を維持することが可能なものであれば、その固定方法等については制限はない。なお、固定方法としては、ヒートシール、エンボスや噛み合い歯車による接合（圧縮）、超音波シール、ニードル（針）による加工、ホットメルト接着剤による接着等を挙げることができる。
【００６８】
〔３−３〕側縁接合部：
本発明の男性用軽失禁パッドを構成する吸収性本体は、図２Ａに示すように、谷折り部３６の折り目に沿って、谷折り部分が所定の幅で接合された側縁接合部３７を有している。この側縁接合部は、製造時において、二枚の長尺シート材の側縁同士を接合することによって形成されたものである。このような側縁接合部３７を形成することによって、吸収性本体１４を構成するシートの強度が部分的に向上し、谷折り方向に沿って吸収性本体１４に腰ができ、展開した吸収性本体１４が型崩れし難くなる。なお、一枚の長尺シート材を折り畳んで男性用軽失禁パッドを製造する第二の製造方法においては、このような側縁接合部は形成されないが、例えば、一枚の長尺シート材を折り畳んだ後、その折り目部分を更に接合して側縁接合部を形成することもできる。
【産業上の利用可能性】
【００６９】
本発明の男性用軽失禁パッドの製造方法は、失禁対策用の男性用の失禁パッドを、廃棄物の発生を少なくして簡便且つ低コストに製造することができる。特に、排尿後のキレが悪いために、下着に男性器を戻した後、下着を極軽く濡らしてしまうような、極軽度の尿パッドや下着ライナーとして好適に用いることが可能な男性用軽失禁パッドを、廃棄物の発生を少なくして簡便且つ低コストに製造することができる。
【符号の説明】
【００７０】
１ａ，１ｂ，１ｃ：男性用軽失禁パッド、１４：吸収性本体、１４Ｘ：一方の端部（下端部）、１４Ｙ：他方の端部（上端部）、１８：シート（内面シート）、２０：シート（外面シート）、２２：吸収体、３２：内面、３２ａ：吸収性面、３３凹状の空間、３６：谷折り部、３６Ｘ：一方の端部（谷折り部の一方の端部）、３７：側縁接合部、３８：下端接合部、５０，６０：吸収体、５１，６１：長尺のシート、５１ａ，６１ａ：外面シート、５１ｂ，６１ｂ：内面シート、５２，５２ａ，５２ｂ，６２：長尺のシート材、５２ｘ：一方の側縁部、５２ｙ：他方の側縁部、５３：吸収性面、５４：側縁接合部、５５，６５：下端接合部、５６，５６ａ，５６ｂ，６６，６６ａ，６６ｂ：吸収性本体、５７，６７：切断部分の軌跡、６２ｘ：折り目が形成された側縁部、６２ｙ：他方の側縁部（折り目が形成された側縁部とは反対側の側縁）、６４：折り目、７１：内側輪郭線（側縁接合部の内側輪郭線）、７２：内側輪郭線（下端接合部の内側輪郭線）、Ｘ：流れ方向（シートの流れ方向）、α１：吸収性本体における一方の側縁部と下端接合部とによって形成される角度、β１：吸収性本体における一方の側縁部と切断部分の軌跡とによって形成される角度、α２：吸収性本体における折り目が形成された側縁部と下端接合部とによって形成される角度、β２：吸収性本体の折り目が形成された側縁部と切断部分の軌跡とによって形成される角度。
【図１Ａ】
2010273824.tif 000003
【図１Ｂ】
2010273824.tif 000004
【図２Ａ】
2010273824.tif 000005
【図２Ｂ】
2010273824.tif 000006
【図３Ａ】
2010273824.tif 000007
【図３Ｂ】
2010273824.tif 000008
【図４】
2010273824.tif 000009
【図５Ａ】
2010273824.tif 000010
【図５Ｂ】
2010273824.tif 000011